(57)【要約】【課題】環状部材を回転操作したときに適度な操作環を感じることができると共に防滴効果を発揮でき、しかも製造が容易なレンズ鏡筒における防滴構造を得る。【解決手段】撥水剤を浸含させた合成皮革からなる環状の防滴布３１、４２、４４の一方の面を、少なくとも一つの環状部材１５、１７、２７、２９の内周面または外周面に固着し、防滴布の他方の面を多数の毛が植毛された植毛面３２、４３、４５とし、該植毛面を他の環状部材の外周面または内周面に摺動可能に接触させる。【選択図】図２
2008203773.tif 000002
【特許請求の範囲】
【請求項１】
互いに同軸をなしながら相対移動可能な複数の環状部材を具備するレンズ鏡筒において、
撥水剤を浸含させた合成皮革からなる環状の防滴布の一方の面を、少なくとも一つの上記環状部材の内周面または外周面に固着し、
上記防滴布の他方の面を多数の毛が植毛された植毛面とし、該植毛面を他の上記環状部材の外周面または内周面に摺動可能に接触させたことを特徴とするレンズ鏡筒における防滴構造。
【請求項２】
請求項１記載のレンズ鏡筒における防滴構造において、
上記環状部材の少なくとも一つが、上記光軸回りに回転しながら光軸に沿って進退する環状部材であるレンズ鏡筒における防滴構造。
【請求項３】
請求項１または２記載のレンズ鏡筒における防滴構造において、
上記防滴布が不透光性であるレンズ鏡筒における防滴構造。
【請求項４】
請求項１から３のいずれか１項記載のレンズ鏡筒における防滴構造において、
上記防滴布は、固着する環状部材の内周または外周と略同じ長さの帯材を丸めたものであるレンズ鏡筒における防滴構造。
【請求項５】
請求項４記載のレンズ鏡筒における防滴構造において、
上記防滴布の周方向の端面の前端位置と後端位置の周方向位置がずれているレンズ鏡筒における防滴構造。
【請求項６】
請求項５記載のレンズ鏡筒における防滴構造において、
上記端面が、該防滴布の前面から後面側に延びる第一端部と、該防滴布の後面の第一端部とは異なる周方向位置から前面側に延びる第二段部と、第一端部と第二端部とを繋ぎ上記第一端部及び第二端部とは異なる方向に延びる連結部と、から構成されているレンズ鏡筒における防滴構造。
【発明の詳細な説明】
【技術分野】
【０００１】
本発明は、レンズ鏡筒の環状部材間の防滴構造に関する。
【背景技術】
【０００２】
レンズ鏡筒は一般的に、互いに同心をなし光軸に沿って相対回転可能あるいは光軸回りに相対移動可能な複数の環状部材を具備している。これら環状部材の一つをズーム操作環あるいはマニュアルフォーカス環とし、このズーム操作環あるいはマニュアルフォーカス環の手動による回転操作により他の環状部材を光軸に沿って進退させる場合に、隣り合う（径方向に重なり合う）環状部材間に意図的に摩擦抵抗を発生させることにより、ズーム操作環あるいはマニュアルフォーカス環の手動操作時に撮影者が適度な抵抗感を感じられるようにすることが従来より行われている。
このような抵抗感を出すための手段の一例として、一方の面全体に細かな毛が植毛された環状の合成皮革の他方の面を環状部材の外周面または内周面に固着し、合成皮革の一方の面（植毛面）を隣り合う他の環状部材の内周面または外周面に摺動可能に接触させることが行われていた。
【０００３】
しかし、このように合成皮革を利用した場合は、撮影者が適度な抵抗感を感じられるようにはなるものの、隣り合う環状部材の隙間からレンズ鏡筒内に水滴や埃等が侵入するのを防止する（防滴効果を発揮する）のが難しくなる。
【０００４】
防滴効果を発揮しつつズーム操作環あるいはマニュアルフォーカス環の手動操作時に撮影者が抵抗感を感じられるようにしたレンズ鏡筒としては例えば特許文献１に開示されたものがある。
特許文献１のレンズ鏡筒では、前側外装環３の外周面の後端部と、前側外装環３の直後に位置し前側外装環３に対して光軸回りに相対回転可能（光軸方向への相対移動は不能）なマニュアルリング４の内周面の前端部との間にプラスチックシートや塩化ビニルシートからなる環状のワッシャ７、８を挿入し、かつマニュアルリング４の後端部の外周面と、マニュアルリング４の直後に位置する後側外装環９の内周面の前端部との間にプラスチックシートや塩化ビニルシートからなる環状のワッシャ１１、１２を挿入している。さらに、前側外装環３の外周面の後端部とマニュアルリング４の内周面の前端部の間にワッシャ７、８の直後に位置する態様で撥水材を充填し、かつマニュアルリング４の外周面の後端部と後側外装環９の内周面の前端部の間にワッシャ１１、１２の直前に位置する態様で撥水材を充填している。
【０００５】
このような構造の特許文献１のレンズ鏡筒では、ワッシャ７、８、１１、１２及び前後の撥水材が防滴効果を発揮するので、レンズ鏡筒外部の水滴や埃がレンズ鏡筒内に侵入するのが防止される。さらに、前側外装環３とマニュアルリング４の間にワッシャ７、８が挟まれ、かつマニュアルリング４と後側外装環９の間にワッシャ１１、１２が挟まれているので、撮影者がマニュアルリング４を回転操作したときに撮影者は抵抗感を感じることができる。
【特許文献１】特開２０００−２２７５３４号公報
【発明の開示】
【発明が解決しようとする課題】
【０００６】
しかし、特許文献１のレンズ鏡筒は、比較的硬質の材料であるプラスチックシートや塩化ビニルシートを利用して環状のワッシャ７、８、１１、１２を成形しているので、合成皮革を利用した場合のような抵抗感を出すのが難しい。特に、環状部材が光軸方向へスライドしながら光軸回りに回転する場合は、環状部材が光軸方向へスライドのみする場合や光軸回りに回転のみする場合に比べて、合成皮革を利用したときのような抵抗感を出すのが一層難しい。
さらに、ワッシャ７、８、１１、１２をプラスチックシートや塩化ビニルシートによって成形しているので、ワッシャ７、８、１１、１２の表面に微小な凹凸が存在すると、この凹凸の影響によりマニュアルリング４の回転操作が不円滑になるおそれがある。このようにワッシャ７、８、１１、１２は設計形状通りに精度良く成形する必要があるが、プラスチックシートや塩化ビニルシートによってワッシャ７、８、１１、１２を精度良く成形するのは容易でない。
【０００７】
本発明は、環状部材を回転操作したときに適度な操作感を感じることができると共に防滴効果を発揮でき、しかも製造が容易なレンズ鏡筒における防滴構造を提供することを目的とする。
【課題を解決するための手段】
【０００８】
本発明のレンズ鏡筒における防滴構造は、互いに同軸をなしがら相対移動可能な複数の環状部材を具備するレンズ鏡筒において、撥水剤を浸含させた合成皮革からなる環状の防滴布の一方の面を、少なくとも一つの上記環状部材の内周面または外周面に固着し、上記防滴布の他方の面を多数の毛が植毛された植毛面とし、該植毛面を他の上記環状部材の外周面または内周面に摺動可能に接触させたことを特徴としている。
【０００９】
上記環状部材の少なくとも一つが、上記光軸回りに回転しながら光軸に沿って進退する環状部材であるのが好ましい。
【００１０】
上記防滴布が不透光性であるのが好ましい。
【００１１】
上記防滴布は、固着する環状部材の内周または外周と略同じ長さの帯材を丸めたものであるのが好ましい。
【００１２】
上記防滴布の周方向の端面の前端位置と後端位置の周方向位置がずれているのが好ましい。
具体的には、例えば、上記端面を、該防滴布の前面から後面側に延びる第一端部と、該防滴布の後面の第一端部とは異なる周方向位置から前面側に延びる第二段部と、第一端部と第二端部とを繋ぎ上記第一端部及び第二端部とは異なる方向に延びる連結部と、から構成することにより実現できる。
【発明の効果】
【００１３】
本発明によると、径方向に重なる二つの環状部材の対向面の一方に、合成樹脂からなる防滴布の一方の面が固着され、対向面の他方に防滴布の植毛面が摺動可能に接触するので、撮影者が環状部材を回転操作したときに、撮影者は適度な抵抗感を感じることができる。
しかも、防滴布には撥水剤を浸含させてあるので、レンズ鏡筒外部の水滴や埃等がレンズ鏡筒内部に侵入するのを効果的に防止できる。
さらに、防滴布は柔軟な素材なので、その厚み精度はそれほどシビアには要求されない。従って、従来のようにプラスチックシートや塩化ビニルシートによって防滴部材（ワッシャ）を製造する場合に比べて、本願発明の防滴布は容易に製造できる。
【００１４】
請求項２のように構成すると、光軸回りに回転しながら光軸に沿って進退する環状部材が存在する場合であっても、環状部材を回転操作したときに撮影者は適度な抵抗感を感じることができる。
【００１５】
請求項３のように構成すれば、防滴布により隣り合う環状部材の隙間を遮光できるようになる。
【００１６】
請求項４のように構成すれば、防滴布の製造が一層容易になる。
【００１７】
請求項５のように構成すれば、帯状の防滴布の周方向の両端面を光軸と平行な直線状に成形する場合に比べて、防滴布の周方向の端面が長くなる。そのため、仮に防滴布の両端の間に隙間が出来たとしても、隙間の一方の端部から隙間に侵入した水分は隙間の他方の端部に到達しにくくなる。従って、帯状の防滴布の周方向の両端面を光軸と平行な直線状に成形する場合に比べて防滴効果が向上する。
【００１８】
請求項６のように構成すれば、防滴布の周方向の端面がさらに長くなるので、防滴効果がさらに向上する。
【発明を実施するための最良の形態】
【００１９】
以下、本発明の一実施形態について図１から図５を参照しながら説明する。
まずレンズ鏡筒１０の全体構造について図１及び図２を利用しながら説明する。
図１及び図２に示すように、レンズ鏡筒１０は３つのレンズ群Ｌ１、Ｌ２、Ｌ３を具備する交換式レンズ鏡筒である。各レンズ群Ｌ１、Ｌ２、Ｌ３の光軸Ｏを中心とする筒状体である第１固定環１１の後端部には、図示を省略したカメラボディのマウント部に着脱可能なマウント部１２が設けてある。さらに、第１固定環１１の内周側には第１固定環１１と同心をなす筒状体である第２固定環１３が配設してあり、第２固定環１３の後端部は第１固定環１１の後部壁の前面に固定してある。
第１固定環１１及び第２固定環１３の前端部には、第１固定環１１及び第２固定環１３と同心をなす筒状体であるズーム操作環１５が光軸Ｏ回りに回転可能（光軸Ｏ方向のスライドは不能）として設けてある。グリップ環１６は、ズーム操作環１５の外周面に固着したグリップ環である。
第２固定環１３の前端部の外周面には、第２固定環１３と同心をなす筒状体であるフォーカス環１７の後端部が光軸Ｏ回りに回転可能（光軸Ｏ方向のスライドは不能）として設けてある。フォーカス環１７の後端部はズーム操作環１５の内周側に位置している。フォーカス環１７の内周面の後端部にはギヤが形成してあり、このギヤは第２固定環１３の外周面の前端部近傍に回転可能に支持された出力ギヤＧと噛合している。この出力ギヤＧは光軸Ｏと平行な棒状体でありその軸線回りに回転可能である。この出力ギヤＧは、レンズ鏡筒１０をカメラボディに接続すると、カメラボディに内蔵さされたギヤ機構を介してカメラボディに内蔵したフォーカス用モータと接続する。
【００２０】
第２固定環１３の内周側には、第２固定環１３と同心をなす筒状体であるカム環１９が配設してある。このカム環１９は説明を省略する動力伝達機構を介してズーム操作環１５と接続している。そのためズーム操作環１５が回転すると、カム環１９は光軸Ｏ回りに回転しながら光軸Ｏに沿って進退する。さらに、このカム環１９は、カム環１９の内周側に位置する２群支持枠２１を支持している。２群支持枠２１はフォーカスレンズ群である第２レンズ群Ｌ２を支持する部材であり、図示を省略した直進案内機構によって直進案内されている。従って、ズーム操作環１５が回転すると、２群支持枠２１は光軸Ｏ回りには回転せずにカム環１９と一緒に光軸Ｏに沿って進退する。
カム環１９の外周面には、カム環１９と同心をなす筒状体である直進環２３が嵌合している。この直進環２３は説明を省略する直進案内機構及び動力伝達機構を介してカム環１９と接続している。従って、ズーム操作環１５が回転すると直進環２３は回転を規制された状態でカム環１９に対して光軸Ｏ方向に進退する。さらに、この直進環２３は直進環２３の内周側に位置すると共に第３レンズ群Ｌ３を支持する３群支持枠２５を支持している。従って、ズーム操作環１５が回転すると、３群支持枠２５は直進環２３と一緒に光軸Ｏに沿って進退する。
【００２１】
直進環２３の外周面には直進環２３と同心をなす筒状体である回転繰出環２７が設けてある。この回転繰出環２７は説明を省略する動力伝達機構を介してカム環１９と接続しており、かつ直進環２３に対する光軸Ｏ方向の相対移動は規制されている。従って、ズーム操作環１５の回転に伴ってカム環１９が回転しながら光軸Ｏ方向に進退すると、カム環１９に対して相対回転しながら直進環２３と一緒に光軸Ｏ方向に進退する。
さらに、直進環２３と回転繰出環２７の間には、直進環２３及び回転繰出環２７と同心をなすと共に第１レンズ群Ｌ１を支持する筒状体である１群支持枠２９が支持してある。この１群支持枠２９は説明を省略する直進案内機構によって直進案内され、かつ動力伝達機構を介して回転繰出環２７と接続している。従って、ズーム操作環１５を回転操作すると、１群支持枠２９は回転を規制された状態で直進環２３及び回転繰出環２７に対して光軸Ｏ方向にスライドする。
【００２２】
次に、ズーム操作環１５とフォーカス環１７の間、フォーカス環１７と回転繰出環２７の間、及び回転繰出環２７と１群支持枠２９の間に設けた防滴構造について説明する。
まずは回転繰出環２７と１群支持枠２９の間の防滴構造について説明する。
図３及び図４に示すように、回転繰出環２７の内周面の前端部には環状凹部２８が凹設してあり、この環状凹部２８には光軸Ｏを中心とする環状体である防滴布３１の外周面が接着により固定してある。
この防滴布３１は不透光性の合成皮革からなるものであり、その内周面は全面に多数の毛が密集状態で植毛された植毛面３２となっている。この防滴布３１は、布状の合成皮革から回転繰出環２７の内周と略同じ長さの帯状体を切り出したものであり、切り出した帯状体の両端面３３、３７を対向させることにより環状とされる。さらに、防滴布３１は環状とされる前に、図示を省略した容器に充填した撥水剤（撥水溶液）に浸されるので、防滴布３１全体に撥水剤が浸含している。
図３、図４及び図５に示すように、防滴布３１の端面３３及び端面３７は防滴布３１の長手方向に直交する単純な切断面ではない。即ち、端面３３及び端面３７は共に、防滴布３１の前面から後方に直線的に延びる光軸方向直線部（第一端部）３４、３８と、防滴布３１の後面から前方に直線的に延びる光軸方向直線部（第二端部）３５、３９（その前端位置は光軸方向直線部３４及び光軸方向直線部３８の後端位置と同じ）と、光軸方向直線部３４の後端と光軸方向直線部３５の前端、及び光軸方向直線部３８の後端と光軸方向直線部３９の前端をそれぞれ接続する周方向に直線的に延びる周方向直線部（連結部）３６、４０からなる。このように互いの周方向位置が異なる光軸方向直線部３４（光軸方向直線部３８）と光軸方向直線部３５（光軸方向直線部３９）を周方向直線部３６（周方向直線部４０）によって接続した形状なので、端面３３及び端面３７を防滴布３１の長手方向に直交する単純な切断面とした場合に比べて、端面３３及び端面３７の切断面積は大きくなっている（切断距離が長くなっている）。
図１及び図２に示すように、防滴布３１の植毛面３２は１群支持枠２９の外周面に接触しており、植毛面３２と１群支持枠２９の外周面は摺動可能である。
【００２３】
ズーム操作環１５の内周面の前端部とフォーカス環１７の内周面の前端部には、防滴布３１と同じ合成皮革製の防滴布４２と防滴布４４がそれぞれ接着により固定してある。防滴布４２の長さはズーム操作環１５の内周と略同一であり、防滴布４４の長さはフォーカス環１７の内周と略同一である。防滴布４２と防滴布４４の内周面は共に植毛面３２と同様の植毛面４３、植毛面４５である。また、図示は省略してあるが防滴布４２と防滴布４４の端面は防滴布３１と端面３３及び端面３７と同じ切断形状である。さらに、防滴布４２と防滴布４４の全体には撥水剤が浸含している。
防滴布４２の植毛面４３はフォーカス環１７の外周面に摺動可能に接触しており、防滴布４４の植毛面４５は回転繰出環２７の外周面に摺動可能に接触している。
【００２４】
以上構造のレンズ鏡筒１０は、ズーム操作環１５を回転操作すると、第１レンズ群Ｌ１、第２レンズ群Ｌ２、第３レンズ群Ｌ３が光軸Ｏに沿って進退することによりズーミング動作を行う。
この際ズーム操作環１５がフォーカス環１７に対して相対回転するが、このとき防滴布４２の植毛面４３がフォーカス環１７の外周面に接触することにより、撮影者は適度な回転操作感（回転抵抗）を得ることができる。
さらに、防滴布４２全体に撥水剤が浸含しているので、この撥水剤の働きにより、水滴や埃等がズーム操作環１５の前端部とフォーカス環１７の間からレンズ鏡筒１０の内部に侵入するのが防止されている。
また、ズーム操作環１５を回転操作すると、回転繰出環２７がフォーカス環１７に対して光軸Ｏ回りに回転しながら光軸Ｏ方向に進退し、フォーカス環１７に固着された防滴布４４の植毛面４５が回転繰出環２７の外周面に摺動する。従って、この防滴布４４によっても撮影者は適度な回転操作感を得ることができる。さらに、この防滴布４４がフォーカス環１７と回転繰出環２７の間における防滴効果を発揮する。
同様に、ズーム操作環１５を回転操作すると、１群支持枠２９が回転繰出環２７に対して光軸Ｏ方向にスライドし、回転繰出環２７に固着された防滴布３１の植毛面３２が１群支持枠２９の外周面に摺動する。従って、この防滴布３１によっても撮影者は適度な回転操作感を得ることができ、さらに防滴布３１が回転繰出環２７と１群支持枠２９の間における防滴効果を発揮する。
【００２５】
以上説明したように本実施形態によれば、防滴布３１、防滴布４２、及び防滴布４４を設けたことにより、ズーム操作環１５を回転操作したときに撮影者は適度な回転操作感（抵抗感）を得ることができる。
特にズーム操作環１５を回転操作すると回転繰出環２７はフォーカス環１７及び１群支持枠２９に対して回転しながら光軸Ｏ方向に進退するが、このようにある環状部材（回転繰出環２７）が隣り合う他の環状部材（フォーカス環１７及び１群支持枠２９）に対して回転しながら光軸Ｏ方向に進退する場合は、このような環状部材の間において適度な回転抵抗を発生させるのは容易ではない。しかし、本実施形態のように合成皮革製の防滴布３１及び防滴布４４を利用することにより、回転繰出環２７とフォーカス環１７及び１群支持枠２９との間においても適度な回転操作感を与えることが可能である。
さらに防滴布３１、防滴布４２及び防滴布４４には撥水剤が浸含しているので、レンズ鏡筒１０外部の水滴や埃等がレンズ鏡筒１０の内部に侵入するのを効果的に防止できる。
【００２６】
また、防滴布３１、防滴布４２及び防滴布４４は柔軟な素材なので、その厚み精度は従来のようにプラスチックシートや塩化ビニルシートによって防滴部材（ワッシャ）を製造する場合に比べてシビアには要求されない。従って、本実施形態の防滴布３１、防滴布４２及び防滴布４４は従来技術に比べて容易に製造可能である。
しかも、防滴布３１、防滴布４２及び防滴布４４は合成皮革製の布から帯状に切断した後に丸めるだけで成形できるので、この点においても防滴布３１、防滴布４２及び防滴布４４は製造容易である。
【００２７】
また、防滴布３１、防滴布４２及び防滴布４４は不透光性の合成皮革によって成形されたものなので、グリップ環１６とフォーカス環１７の間、フォーカス環１７と回転繰出環２７の間、及び回転繰出環２７と１群支持枠２９の間から光がレンズ鏡筒１０の内部に侵入するのを防止できる。
【００２８】
さらに、防滴布３１、防滴布４２及び防滴布４４の両端を、防滴布３１、防滴布４２及び防滴布４４の長手方向に直交する方向に直線的に切断せず、その切断形状を複雑にすることにより両端面の切断距離を長くしている。従って、仮に光軸方向直線部３４（光軸方向直線部３８）の前端から端面３３と端面３７の間に形成される隙間内に水滴が侵入しても、この水滴は光軸方向直線部３５（光軸方向直線部３９）の後端に達するおそれは小さい。そのため、防滴布３１、防滴布４２及び防滴布４４の両端面を防滴布３１、防滴布４２及び防滴布４４の長手方向に直交する方向に直線的に切断する場合に比べて防滴効果は高い。
【００２９】
以上、本発明を上記実施形態に基づいて説明したが、本発明は上記実施形態に限定されるものではなく、様々な変更を施しながら実施可能である。
例えば、防滴布３１（防滴布４２、防滴布４４）の両端の切断面形状を図６や図７に示す形状としてもよい。
図６の端面４８と端面５２は、光軸方向直線部３４（光軸方向直線部３８）に相当する光軸方向直線部４９、光軸方向直線部５３と、光軸方向直線部３５（光軸方向直線部３９）に相当する光軸方向直線部５０、光軸方向直線部５４と、周方向直線部３６（周方向直線部４０）に相当する周方向直線部５１、周方向直線部５５を具備している。光軸方向直線部４９（光軸方向直線部５３）の後端位置と光軸方向直線部５０（光軸方向直線部５４）の前端位置は前後にずれているので、周方向直線部５１及び周方向直線部５５は周方向に対して傾斜している。このような形状の端面４８及び端面５２は、端面３３及び端面３７に比べて切断距離がさらに長いので、防滴効果がより大きい。
一方、図７の端面５８と端面６２は、光軸方向直線部３４（光軸方向直線部３８）に相当する光軸方向直線部５９、光軸方向直線部６３と、光軸方向直線部３５（光軸方向直線部３９）に相当する光軸方向直線部６０、光軸方向直線部６４と、周方向直線部３６（周方向直線部４０）に相当する周方向曲線部６１、周方向曲線部６５を具備している。光軸方向直線部５９（光軸方向直線部６３）の後端位置と光軸方向直線部６０（光軸方向直線部６４）の前端位置は同じであり、周方向曲線部６１及び周方向曲線部６５は直線ではなく曲線となっている。このような形状の端面５８及び端面６２は、周方向曲線部６１及び周方向曲線部６５が曲線なので、端面３３及び端面３７に比べて切断距離が長い。従って、図６の場合と同じく防滴効果がより大きい。
【００３０】
また、防滴布３１（防滴布４２、防滴布４４）の両端の切断面形状を図８に示す形状としてもよい。
図８の端面７０と端面７１は、光軸Ｏに対して傾斜する直線形状である。このような形状の端面７０及び端面７１も、防滴布３１（防滴布４２、防滴布４４）の両端を、防滴布３１（防滴布４２、防滴布４４）の長手方向に直交する方向に直線的に切断した場合に比べてその切断距離が長いので、大きな防滴効果を得られる。
なお、防的効果は上記実施形態及び上記変形例に比べて低下するが、図９に示すように、防滴布３１（防滴布４２、防滴布４４）の両端面７３、７４の切断面形状を、防滴布３１（防滴布４２、防滴布４４）の長手方向に直交する方向に延びる直線形状としてもよい。
【００３１】
さらに、図１０に示すように、端面３３と端面３７の中間部に液溜部６６を形成してもよい。このようにすれば、光軸方向直線部３４（光軸方向直線部３８）の前端から端面３３と端面３７の隙間内に侵入した水滴が光軸方向直線部３５（光軸方向直線部３９）の後端に達するのをより効果的に防止できる。なお、図６の端面４８と端面５２の中間部や図７の端面５８と端面６２の中間部に液溜部６６を形成することも勿論可能である。
また、端面３３と端面３７の間の隙間に撥水剤を充填してもよい。このようにすれば、光軸方向直線部３４（光軸方向直線部３８）の前端から端面３３と端面３７の隙間内に侵入した水滴が光軸方向直線部３５（光軸方向直線部３９）の後端に達するのをより効果的に防止できる。なお、端面４８と端面５２の間の隙間、端面５８と端面６２の間の隙間、端面７０と端面７１の間の隙間、及び端面７３と端面７４の間の隙間に撥水剤を充填することも勿論可能である。
【００３２】
本実施形態では、防滴布３１、防滴布４２及び防滴布４４を、光軸Ｏ回りに相対回転する（光軸Ｏ方向に相対スライドしない）２つの環状部材（ズーム操作環１５とフォーカス環１７）の間、及び光軸Ｏ回りに回転しながら光軸Ｏ方向に相対スライドする２つの環状部材（フォーカス環１７と回転繰出環２７、回転繰出環２７と１群支持枠２９）の間に設けたが、光軸Ｏ方向に相対スライドする（光軸Ｏ回りに相対回転しない）２つの環状部材の間に適用できるのは勿論である。
さらに、内部のレンズの一部が光軸Ｏから側方に退避するタイプのレンズ鏡筒にも本発明は適用可能である。
また、環状部材の外周面に防滴布３１、防滴布４２、防滴布４４の内周面を固着し、これら防滴布３１、防滴布４２、防滴布４４の外周面を植毛面として、各植毛面を隣り合う環状部材の内周面に摺動可能に接触させてもよい。
【図面の簡単な説明】
【００３３】
【図１】本発明の一実施形態のレンズ鏡筒の上半部のワイド端状態における縦断側面図である。
【図２】レンズ鏡筒の上半部のテレ端状態における縦断側面図である。
【図３】回転繰出環と防滴布の前方から見た分解斜視図である。
【図４】防滴布を固着した回転繰出環の前方から見た斜視図である。
【図５】防滴布の両端の接合部の拡大図である。
【図６】防滴布の変形例の図５と同様の拡大図である。
【図７】防滴布の別の変形例の図５と同様の拡大図である。
【図８】防滴布のさらに別の変形例の図５と同様の拡大図である。
【図９】防滴布のさらに別の変形例の図５と同様の拡大図である。
【図１０】防滴布のさらに別の変形例の図５と同様の拡大図である。
【符号の説明】
【００３４】
１０    レンズ鏡筒
１１    第１固定環
１２    マウント部
１３    第２固定環
１５    ズーム操作環
１６    グリップ環
１７    フォーカス環
１９    カム環
２１    ２群支持枠
２３    直進環
２５    ３群支持枠
２７    回転繰出環
２９    １群支持枠
３１    防滴布
３２    植毛面
３３  ３７  端面
３４  ３８  光軸方向直線部（第一端部）
３５  ３９  光軸方向直線部（第二端部）
３６  ４０  周方向直線部（連結部）
４２    防滴布
４３    植毛面
４４    防滴布
４５    植毛面
４８  ５２  端面
４９  ５３  光軸方向直線部（第一端部）
５０  ５４  光軸方向直線部（第二端部）
５１  ５５  周方向直線部（連結部）
５８  ６２  端面
５９  ６３    光軸方向直線部（第一端部）
６０  ６４  光軸方向直線部（第二端部）
６１  ６５  周方向曲線部（連結部）
６６    液溜部
７０  ７１  ７３  ７４  端面
Ｇ      出力ギヤ
Ｌ１  Ｌ２  Ｌ３  レンズ群
Ｏ      光軸
【図１】
2008203773.tif 000003
【図２】
2008203773.tif 000004
【図３】
2008203773.tif 000005
【図４】
2008203773.tif 000006
【図５】
2008203773.tif 000007
【図６】
2008203773.tif 000008
【図７】
2008203773.tif 000009
【図８】
2008203773.tif 000010
【図９】
2008203773.tif 000011
【図１０】
2008203773.tif 000012